(57)【要約】【課題】撮像されている被写体を認識し、どの被写体が撮像されているかを報知できるようにすることを目的とする。【解決手段】被写体を撮像し映像信号を出力する撮像部と、映像信号から、映っている特定の被写体を認識する認識部と、認識部の認識結果にしたがって、被写体を認識したことを示す表示を行う表示部と、を備え、特定の被写体は複数あり、表示部は、複数の被写体の各々に対応して認識したことを表示する構成としたものである。【選択図】図１
2011061338.tif 000002
【特許請求の範囲】
【請求項１】
被写体を撮像し映像信号を出力する撮像部と、
前記映像信号から、映っている特定の被写体を認識する認識部と、
前記認識部の認識結果にしたがって、被写体を認識したことを示す表示を行う表示部と、
を備え、
前記特定の被写体は複数あり、前記表示部は、前記複数の被写体の各々に対応して認識したことを表示する、
被写体認識および被写体認識結果表示システム付き撮像装置。
【発明の詳細な説明】
【技術分野】
【０００１】
本発明は、映像制作において撮像すべき被写体が撮像されているか否かを認識し、認識結果を表示するシステム付き撮像装置に関する。
【背景技術】
【０００２】
近年、衛星放送等によって多チャンネルの映像番組が楽しめるようになり、視聴者には選択の範囲が非常に広まってきている。が、反面そのような映像番組（いわゆるコンテンツ）を大量に制作する制作サイドとしては、制作の効率向上が課題となっており、制作に用いられる装置の中でも、入力される複数の撮影映像を切替えて出力する映像切替え装置が非常に注目されている。
【０００３】
以下に従来の映像切替え装置を用いた映像切替えについて、図２に示す模式ブロック図を用いて説明する。
【０００４】
図２において、出演者１６ａ〜１６ｃの出演者群１６をそれぞれ撮影する選択候補群１５のうちの３台のカメラ１５ａ〜１５ｃの映像信号は、それぞれのカメラモニタ１４ａ〜１４ｃに送られ、映像に変換される。それと共に、各カメラ１５ａ〜１５ｃの映像信号は、映像切替え装置１１にて制作担当者の指示により切替えられ、本映像として本線出力より送出されたり記録されたりする。また、この本映像は本線モニタ１４ｘに入力され視聴確認される。映像の切替えとしては、映像切替え装置１１の操作卓１２にある選択釦１２ａ〜１２ｃを制作担当者が操作する（押す）ことで、それに応じた選択候補群１５からの映像（すなわち選択釦１２ｂを押すとカメラ１５ｂの映像）が選択され本線出力に送られる。
【０００５】
一般的な生番組等の映像制作の運用においては、制作担当者が、出演者１６ａ〜１６ｃをそれぞれ撮影するカメラ１５ａ〜１５ｃの選択候補群１５の映像が表示されるモニタ１４ａ〜１４ｃを確認しながら、番組の進行、あるいは映像制作のシナリオに合わせて本線出力に出力させるカメラ映像を決め、操作卓１２の選択釦１２ａ〜１２ｃを押すことで、映像処理部１３が対応する映像信号を選択する。
【０００６】
また、映像処理部１３にて切替えられ本線出力された映像がどれかを、各カメラ１５ａ〜１５ｃを操作しているカメラマン、被写体である出演者、および制作担当者に認知させるため、映像切替え装置１１は、各カメラ、モニタにある本線ランプ（ライブ（ｌｉｖｅ）ランプいわゆるタリーランプのこと）１４ｑ、１５ｑのうち選択釦が押されているカメラ、モニタのものを点灯させている。
【０００７】
しかしながら上記の構成では、選択されているものは本線ランプが点灯しているが、次に切り替わって本線出力されるものがどれかを認知することができなかった。そのため、カメラマンが自分の撮影しているカメラの映像が次に選ばれることがわからず、映像選択される前の準備（例えばパン、ズーム等の視野設定、構図設定の準備）をすべきかどうか、判断できなかった。従来は、各カメラの撮影担当するカメラマンと操作卓を操作する制作担当者との間で音声指示（いわゆるインターカムあるいは略してインカムと称するマイクとヘッドホンを組んだヘッドセットによる）している。しかし、操作卓を操作する制作担当者には負担となりやすく、熟練を要する作業であった。また、聞き間違い、言い間違いによる作業ミスも起き易かった。
【０００８】
さらに、インカムを聞くことができない出演者には何の指示を出すこともできない。そこで、特許文献１は、次のような方法により、簡単な操作で、映像を選択する前に事前にカメラマンや出演者に予告を与えることができ、確実な制作、番組運用を実現できる映像切替え装置、システム、方法を提案している。
【０００９】
特許文献１の映像切替え装置は、映像入力手段へ入力された映像信号から使用者が選択操作でき、それに応じた切替え信号を出力する操作手段と、操作手段の切替え信号によって、入力された映像信号から一つを選択し出力する映像選択手段と、操作手段の切替え信号を入力し、選択された映像信号の出所を報知する報知手段とを備える映像切替え装置であり、操作手段は、使用者の操作により映像入力手段へ入力された映像信号から、次に本線出力させるものを使用者が選択操作できる仕組みになっている。
【００１０】
報知手段は、操作手段の切替え出力によって、本線出力であることを表す本線報知信号あるいは次に本線出力になることを表す本線予告報知信号を出力するものである。
【００１１】
使用者が操作卓１２の選択釦１２ａ〜１２ｃを軽く押し込むことにより、それに相当する選択候補群１５内のカメラ１５ａ〜１５ｃのうち一つの映像出力が予告出力に接続され、モニタ群１４内の予告モニタ１４ｙに出力される。また、カメラ、モニタの予告ランプ１５ｐ、１４ｐのうち予告出力に選択されたものを点灯させる。
【００１２】
同様に、操作卓１２の選択釦１２ａ〜１２ｃが深く押し込まれると、それに相当する選択候補群１５内のカメラ１５ａ〜１５ｃのうちの一つの映像出力が本線出力に接続され、モニタ群１４内の本線モニタ１４ｘに出力される。また、各カメラ、モニタにある本線ランプ１５ｑ、１４ｑのうち予告出力に選択されたものを点灯させる。
【００１３】
上記のように、映像入力が本線出力されていることがわかるように、その映像入力の出所元であるカメラおよびその映像入力を映像化しているモニタの各々のライトを点灯させる従来の作用に加えて、制作担当者が次に本線出力させる映像入力のスイッチにより、その映像入力が次に本線出力されることが予告されていることを、その映像入力の出所元であるカメラおよびその映像入力を映像化しているモニタの各々のライトを点灯させることで報知する作用の映像切替え装置が得られる。
【先行技術文献】
【特許文献】
【００１４】
【特許文献１】特開２００３―２１４２８５号公報
【発明の概要】
【発明が解決しようとする課題】
【００１５】
しかしながら、上記従来技術では次のような問題がある。従来技術では、複数のカメラで撮影を行う場合、カメラマンや出演者に今本線出力されているカメラおよび次に切り替わり本線出力に使用される状態になるカメラが各々どれかを報知することはできるが、それぞれのカメラにどの被写体が撮像されているかをカメラマンや出演者に報知することができないため、被写体である出演者は複数あるカメラのうち、どのカメラに意識を向けて演技をするべきか分からない。
【００１６】
一般的に、カメラに撮像されている映像の確認はモニタを用いて行われるが、被写体である出演者はその人数、演技により移動することなどから、演技中の出演者がモニタ画面で映像を確認することは現実的でないと考えられる。
【００１７】
本発明は、上記問題点に鑑み、撮像されている被写体を認識し、どの被写体が撮像されているかを報知できる、被写体認識および被写体認識結果表示システム付き撮像装置を実現することを目的とする。
【課題を解決するための手段】
【００１８】
上記課題を解決するために本発明の撮像装置は、被写体を撮像し映像信号を出力する撮像部と、映像信号から、映っている特定の被写体を認識する認識部と、認識部の認識結果にしたがって、被写体を認識したことを示す表示を行う表示部と、を備え、特定の被写体は複数あり、表示部は、複数の被写体の各々に対応して認識したことを表示する構成としたものである。
【発明の効果】
【００１９】
本発明により、映像制作において撮像すべき被写体が撮像されているか否かを認識し、認識結果を表示することにより、被写体である出演者やカメラマンが、どの撮像装置にどの被写体が撮像されているかを把握でき、演技やカメラ撮影に生かすことができ、映像制作の効率化を可能とする撮像装置を実現することができる。
【図面の簡単な説明】
【００２０】
【図１】実施の形態１に係る撮像装置の構成を示すブロック図
【図２】従来の技術の内容を示す図
【発明を実施するための形態】
【００２１】
以下、実施の形態を、図面を参照しながら説明する。
【００２２】
図１は、本実施の形態に係る被写体認識および被写体認識結果表示システム付き撮像装置１００の構成を示すブロック図（概略構成図）である。
【００２３】
図１に示すように、撮像装置１００は、被写体からの光を集光するレンズ光学系１と、レンズ光学系１により集光された光（被写体の光学像）を撮像してＲ，Ｇ，Ｂの画像信号（光電変換により取得される電気信号）を取得する撮像部２と、撮像部２により取得されたＲ，Ｇ，Ｂの画像信号に対してゲイン調整処理（増幅処理）などの処理を行うプロセス部３と、認識すべき人物を認識するための情報を記憶・保持する記憶部４と、記憶部４に記憶・保持している情報をもとに画像を認識する映像認識部５と、映像認識部５が出力する認識結果をもとに制御信号を出力する表示制御部６と、表示制御部６の制御信号により映像認識部５の認識結果を表示する表示部７と、を備える。
【００２４】
記憶部４は、人物の顔認識に必要な情報を記憶している。映像認識部５は、記憶部４に記憶されている情報に基づいて、プロセス部３から送られる画像信号に対して認識処理を行うことにより、記憶部４に記憶した情報に対応する人物が映っているかどうかを認識する。データ登録部８は、記憶部４に、人物を認識するための情報を入力するための手段である。データ登録部８は、外部からこの情報を記憶部４へ転送するための入力部であってもよいし、ユーザが操作して情報を入力するための操作部であってもよい。表示制御部６は、映像認識部５の認識結果から、認識された人物に対応する制御信号を出力する。表示部７は、表示制御部６から出力される制御信号に対応するランプを備えている。例えば、記憶部４に記憶されている人物の情報が５人分であれば、表示制御部６はこれに対応して１〜５の制御信号を出力する。そして表示部７は、この１〜５の制御信号に対応して、互いに異なる色に発光する５つのランプを点灯させる。
【００２５】
実際の撮影現場においては、まずあらかじめ出演者の顔認識のための情報を記憶部４に記憶させておく。そして、各出演者に対応する制御信号および表示部７のランプの色を決定し、映像認識部５および表示制御部６で対応付けておく。出演者が撮像装置１００によって撮像されれば、映像認識部５がその出演者を認識し、表示部７がその出演者に割り当てられた色のランプを点灯させる。このことで、撮影現場において撮像装置１００が複数使用されるときにも、出演者は自分が映っているカメラを認識することができる。
【００２６】
以上の構成により撮像装置１００は、映像制作において撮像すべき被写体が撮像されているか否かを認識し、認識結果を表示することにより、被写体である出演者やカメラマンが、どの撮像装置にどの被写体が撮像されているかを把握でき、演技やカメラ撮影に生かすことができ、映像制作の効率化を可能とする撮像装置を実現することができる。
【産業上の利用可能性】
【００２７】
本発明により、被写体である出演者やカメラマンが、どの撮像装置にどの被写体が撮像されているかを把握できるため、映像制作現場において使用される撮像装置などとしても有用である。
【符号の説明】
【００２８】
１  レンズ光学系
２  撮像部
３  プロセス部
４  記憶部
５  映像認識部
６  表示制御部
７  表示部
８  データ登録部
１００  撮像装置
【図１】
2011061338.tif 000003
【図２】
2011061338.tif 000004